(57)【要約】【課題】簡単な手段によって弱電界時に画面上のビートを目立たなくすることが可能なテレビジョン受像機を提供する。【解決手段】中間周波増幅回路３のゲインを調整するためのＩＦＡＧＣ電圧Ｖｉに基づいてＡＣＬ電圧Ｖｃを制御するＡＣＬ電圧制御回路７ａを設ける。アンテナで受信した電界強度が低下してＩＦＡＧＣ電圧ＶｉがツェナーダイオードＺの降伏電圧により定まる所定値を超えたときに、トランジスタＴＲ１およびツェナーダイオードＺが導通してトランジスタＴＲ２が動作する。トランジスタＴＲ２の動作により、信号処理回路４へ帰還されるＡＣＬ電圧Ｖｃをコントラストが減少する側へ制御して、弱電界時に画面に現れるビートを目立たなくする。【選択図】    図３
2004328228.tif 000002
【特許請求の範囲】
【請求項１】
アンテナで受信された放送電波から所定のチャンネルの信号を抽出するチューナと、このチューナより出力される中間周波信号を増幅する中間周波増幅回路と、この中間周波増幅回路で増幅された信号を処理してＣＲＴへ供給する信号処理回路と、前記ＣＲＴにおける電子ビームを制御するためのビーム制御回路とを備え、前記ビーム制御回路から前記信号処理回路へＡＣＬ（Ａｕｔｏｍａｔｉｃ  Ｃｏｎｔｒａｓｔ  Ｌｉｍｉｔｅｒ）電圧を帰還することによりＣＲＴの画面のコントラストを調整するテレビジョン受像機において、
前記中間周波増幅回路のゲインを調整するためのＩＦＡＧＣ（Ｉｎｔｅｒｍｅｄｉａｔｅ  Ｆｒｅｑｕｅｎｃｙ  Ａｕｔｏｍａｔｉｃ  Ｇａｉｎ  Ｃｏｎｔｒｏｌ）電圧に基づいて前記ＡＣＬ電圧を制御するＡＣＬ電圧制御回路を設け、
前記ＡＣＬ電圧制御回路は、中間周波増幅回路のＩＦＡＧＣ端子にベースが接続された第１のトランジスタと、この第１のトランジスタと直列に接続されたツェナーダイオードおよび抵抗と、前記第１のトランジスタおよびツェナーダイオードの導通により動作する第２のトランジスタとを有し、
前記アンテナで受信した電界強度が低下してＩＦＡＧＣ電圧が前記ツェナーダイオードの降伏電圧により定まる所定値を超えたときに、前記第１のトランジスタおよびツェナーダイオードの導通により第２のトランジスタが動作し、この第２のトランジスタにより前記信号処理回路へ帰還されるＡＣＬ電圧をコントラストが減少する側へ制御することを特徴とするテレビジョン受像機。
【請求項２】
アンテナで受信された放送電波から所定のチャンネルの信号を抽出するチューナと、このチューナより出力される中間周波信号を増幅する中間周波増幅回路と、この中間周波増幅回路で増幅された信号を処理してＣＲＴへ供給する信号処理回路と、前記ＣＲＴにおける電子ビームを制御するためのビーム制御回路とを備え、前記ビーム制御回路から前記信号処理回路へＡＢＬ（Ａｕｔｏｍａｔｉｃ  Ｂｒｉｇｈｔｎｅｓｓ  Ｌｉｍｉｔｅｒ）電圧を帰還することによりＣＲＴの画面の明るさを調整するテレビジョン受像機において、
前記中間周波増幅回路のゲインを調整するためのＩＦＡＧＣ（Ｉｎｔｅｒｍｅｄｉａｔｅ  Ｆｒｅｑｕｅｎｃｙ  Ａｕｔｏｍａｔｉｃ  Ｇａｉｎ  Ｃｏｎｔｒｏｌ）電圧に基づいて前記ＡＢＬ電圧を制御するＡＢＬ電圧制御回路を設け、
前記ＡＢＬ電圧制御回路は、中間周波増幅回路のＩＦＡＧＣ端子にベースが接続された第１のトランジスタと、この第１のトランジスタと直列に接続されたツェナーダイオードおよび抵抗と、前記第１のトランジスタおよびツェナーダイオードの導通により動作する第２のトランジスタとを有し、
前記アンテナで受信した電界強度が低下してＩＦＡＧＣ電圧が前記ツェナーダイオードの降伏電圧により定まる所定値を超えたときに、前記第１のトランジスタおよびツェナーダイオードの導通により第２のトランジスタが動作し、この第２のトランジスタにより前記信号処理回路へ帰還されるＡＢＬ電圧を明るさが減少する側へ制御することを特徴とするテレビジョン受像機。
【請求項３】
請求項１または請求項２に記載のテレビジョン受像機において、
前記第１のトランジスタと直列に接続される抵抗に代えてダイオードを用いたことを特徴とするテレビジョン受像機。
【請求項４】
アンテナで受信された放送電波から所定のチャンネルの信号を抽出するチューナと、このチューナより出力される中間周波信号を増幅する中間周波増幅回路と、この中間周波増幅回路で増幅された信号を処理してＣＲＴへ供給する信号処理回路と、前記ＣＲＴにおける電子ビームを制御するためのビーム制御回路とを備え、前記ビーム制御回路から前記信号処理回路へＡＣＬ（Ａｕｔｏｍａｔｉｃ  Ｃｏｎｔｒａｓｔ  Ｌｉｍｉｔｅｒ）電圧またはＡＢＬ（Ａｕｔｏｍａｔｉｃ  Ｂｒｉｇｈｔｎｅｓｓ  Ｌｉｍｉｔｅｒ）電圧を帰還することによりＣＲＴの画面のコントラストまたは明るさを調整するテレビジョン受像機において、
前記中間周波増幅回路のゲインを調整するためのＩＦＡＧＣ（Ｉｎｔｅｒｍｅｄｉａｔｅ  Ｆｒｅｑｕｅｎｃｙ  Ａｕｔｏｍａｔｉｃ  Ｇａｉｎ  Ｃｏｎｔｒｏｌ）電圧に基づいて前記ＡＣＬ電圧またはＡＢＬ電圧を制御する電圧制御回路を設け、
前記電圧制御回路は、前記アンテナで受信した電界強度が一定値以下になってＩＦＡＧＣ電圧が所定値を超えたことを検出したときに、前記信号処理回路へ帰還されるＡＣＬ電圧またはＡＢＬ電圧をコントラストまたは明るさが減少する側へ制御することを特徴とするテレビジョン受像機。
【請求項５】
請求項４に記載のテレビジョン受像機において、
前記電圧制御回路は、ＩＦＡＧＣ電圧が所定値を超えたことを検出したときに、コントラストまたは明るさを略１／２に減少するようにＡＣＬ電圧またはＡＢＬ電圧を制御することを特徴とするテレビジョン受像機。
【発明の詳細な説明】
【０００１】
【発明の属する技術分野】
本発明は、弱電界時に画面に現れるビートを目立たなくしたテレビジョン受像機に関するものである。
【０００２】
【従来の技術】
テレビジョン受像機においては、アンテナで受信した電界強度が例えば２０ｄＢμＶ以下になると、一定周期で現れる縦縞や横縞などのビートが目立つようになる。このようなビートとしては、周波数のアンロック状態に基因して発生するＩＦビートと、受像機内部において電源リップルに基因して発生する電源ビートなどがあるが、いずれにしてもビートが現れると画面が見にくくなって、テレビジョン受像機の品質が低下する。
【０００３】
この対策として、従来から種々の方策が提案されている。例えば、下記の特許文献１においては、中間周波増幅回路のＲＦＡＧＣ（Ｒａｄｉｏ  Ｆｒｅｑｕｅｎｃｙ  Ａｕｔｏｍａｔｉｃ  Ｇａｉｎ  Ｃｏｎｔｒｏｌ）電圧の出力端子を、ダイオードを介して映像処理回路の明るさ調整用ボリュームに接続し、電界強度が弱くなってＡＧＣ電圧がスレッショルド電圧以下になると、ダイオードが導通して明るさ調整信号のレベルが低下することで画像の平均輝度を下げ、白ノイズによる画質劣化を視覚的に軽減するようにしている。また、特許文献２においては、輝度信号のノイズを抑圧するためのノイズ抑圧回路を設け、映像検波増幅回路から中間周波増幅回路へ帰還されるＩＦＡＧＣ電圧でノイズ抑圧回路のノイズ抑圧レベルを制御することにより、弱電界時における輝度信号のノイズを軽減するようにしている。なお、特許文献３には、画面のコントラストを調整するＡＣＬの技術が開示されている。
【０００４】
【特許文献１】
特開平５−３１６４５１号公報
【特許文献２】
特開平９−３２２０１９号公報
【特許文献３】
特開平２−２８０４７６号公報
【０００５】
【発明が解決しようとする課題】
特許文献１では、ＲＦＡＧＣ電圧を用いて画像の平均輝度を低下させているが、ＲＦＡＧＣ電圧は電界強度が一定レベルよりも弱くなると電圧値が変化しなくなるため、冒頭で述べたような２０ｄＢμＶ以下の弱電界時には、顕著な雑音低減効果を期待することができない。また、この特許文献１では、ＲＦＡＧＣ電圧により明るさ調整用ボリュームを制御するため、ユーザがボリュームで調整する明るさに応じて画面に現れる雑音の程度も変動し、安定した雑音低減効果を得るのは難しい。
【０００６】
これに対して、特許文献２では、ノイズ抑圧にＩＦＡＧＣ電圧を用いており、ＩＦＡＧＣ電圧は電界強度がかなり弱くても電界強度に応じて電圧値が変化するため、弱電界時のノイズを効果的に抑制することができる。また、ＩＦＡＧＣ電圧でノイズ抑圧レベルが自動的に制御されるので、弱電界時において安定したノイズ軽減効果が得られる。しかしながら、この特許文献２のテレビジョン受像機では、画面の輝度を大きくして相対的にノイズを見えなくするのではなく、ノイズ抑圧回路によってノイズそのものを抑圧する方式を採用しているため、ノイズ抑圧のための特別な回路が必要となり、回路構成が複雑になってコストアップになるという問題がある。
【０００７】
本発明は、上記課題を解決するものであって、その目的とするところは、簡単な手段によって弱電界時に画面上のビートを目立たなくすることが可能なテレビジョン受像機を提供することにある。
【０００８】
【課題を解決するための手段】
本発明では、アンテナで受信された放送電波から所定のチャンネルの信号を抽出するチューナと、このチューナより出力される中間周波信号を増幅する中間周波増幅回路と、この中間周波増幅回路で増幅された信号を処理してＣＲＴへ供給する信号処理回路と、ＣＲＴにおける電子ビームを制御するためのビーム制御回路とを備え、ビーム制御回路から信号処理回路へＡＣＬ電圧またはＡＢＬ電圧を帰還することによりＣＲＴの画面のコントラストまたは明るさを調整するテレビジョン受像機において、中間周波増幅回路のゲインを調整するためのＩＦＡＧＣ電圧に基づいてＡＣＬ電圧またはＡＢＬ電圧を制御する電圧制御回路を設ける。
【０００９】
この電圧制御回路は、アンテナで受信した電界強度が一定値以下になってＩＦＡＧＣ電圧が所定値を超えたことを検出したときに、信号処理回路へ帰還されるＡＣＬ電圧またはＡＢＬ電圧をコントラストまたは明るさが減少する側へ制御する。こうすることで、弱電界時には画面のコントラストや明るさが自動的に減少するため、ＣＲＴの画面においてＩＦビートや電源ビートなどが見えにくくなり、画質の低下を防止することができる。また、本発明では、ＩＦＡＧＣ電圧によりＡＣＬ電圧やＡＢＬ電圧を制御するので、ユーザの設定に影響されずに、コントラストや明るさをビートが見えなくなるまで自動的に低減させることができる。さらに、ノイズそのものを抑圧する方式ではないので、特別なノイズ抑圧回路を設ける必要がなく、簡単な回路により実現することが可能となる。また、電源リップル補正回路なども不要となる。
【００１０】
本発明の好ましい実施形態においては、電圧制御回路は、ＩＦＡＧＣ電圧が所定値を超えたことを検出したときに、コントラストまたは明るさを略１／２に減少するようにＡＣＬ電圧またはＡＢＬ電圧を制御する。コントラストや明るさを極端に落すと、ＣＲＴの画面が暗くなりすぎて映像が見づらくなるが、１／２程度であればそのようなことはなく、例えばコントラストを１／２に落すと、画面上のグレーであった部分は黒色となるため、グレー部分で目立っていたビートはほとんど見えなくなる。
【００１１】
本発明の電圧制御回路は、例えば、中間周波増幅回路のＩＦＡＧＣ端子にベースが接続された第１のトランジスタと、この第１のトランジスタと直列に接続されたツェナーダイオードおよび抵抗と、第１のトランジスタおよびツェナーダイオードの導通により動作する第２のトランジスタとを有している。そして、アンテナで受信した電界強度が低下してＩＦＡＧＣ電圧がツェナーダイオードの降伏電圧により定まる所定値を超えたときに、第１のトランジスタおよびツェナーダイオードの導通により第２のトランジスタが動作し、この第２のトランジスタにより信号処理回路へ帰還されるＡＣＬ電圧またはＡＢＬ電圧をコントラストまたは明るさが減少する側へ制御する。このような電圧制御回路は、トランジスタ、ツェナーダイオード、抵抗などからなる簡単な回路として構成することができる。
【００１２】
また、本発明の電圧制御回路では、上記抵抗に代えてダイオードを用いてもよい。第２のトランジスタの動作によりＡＣＬ電圧やＡＢＬ電圧が急峻に変化すると、コントラストや明るさの変化が唐突となって違和感を与えるが、ダイオードを用いることによって、第２のトランジスタをアナログ的に駆動することができるので、画面の急激な変化を緩和することができる。
【００１３】
【発明の実施の形態】
図１は、本発明の実施形態に係るテレビジョン受像機を示したブロック図である。図１において、１は放送電波を受信するアンテナ、２はアンテナ１で受信された放送電波から所定のチャンネルの信号を抽出するチューナ、３はチューナ２より出力される中間周波信号を増幅する中間周波増幅回路、４は中間周波増幅回路３で増幅された信号を処理する信号処理回路である。信号処理回路４には、映像検波回路、映像増幅回路、ＡＧＣ回路、色信号再生回路などが含まれる。５は信号処理回路４からの映像信号に基づいて画面に映像を表示するＣＲＴ（陰極線管）、６はＣＲＴ５の電子ビームを制御するビーム制御回路である。このビーム制御回路６には、偏向回路やフライバックトランスなどが含まれており、信号処理回路４で映像信号より分離された水平および垂直の同期信号が偏向回路に供給される。７ａは本発明によるＡＣＬ電圧制御回路である。この回路の詳細については後述する。
【００１４】
Ｖｉは信号処理回路４のＡＧＣ回路から中間周波増幅回路３へ帰還されるＩＦＡＧＣ電圧であって、中間周波増幅回路３のゲインを自動調整するための電圧である。図５は、ＩＦＡＧＣ電圧の特性を示したグラフである。図のように、ＩＦＡＧＣ電圧は、電界強度が所定値Ｅｓに達するまでの弱電界時にはリニアに電圧値が減少し、電界強度が所定値Ｅｓを超えた強電界時には一定の低レベル値を維持する。このＩＦＡＧＣ電圧ＶｉはＡＣＬ電圧制御回路７ａへも与えられる。Ｖｃはビーム制御回路６から信号処理回路４へ帰還されるＡＣＬ電圧であって、ＣＲＴ５の画面のコントラストが強くなり過ぎないように、ＣＲＴ５のビーム電流を制限するための電圧である。
【００１５】
図２は、本発明の他の実施形態に係るテレビジョン受像機を示したブロック図である。図２においては、ビーム制御回路６から信号処理回路４へ帰還される電圧として、図１のＡＣＬ電圧Ｖｃに代えてＡＢＬ電圧Ｖｂが用いられる。ＡＢＬ電圧ＶｂはＣＲＴ５の画面が明るくなり過ぎないように、ＣＲＴ５のビーム電流を制限するための電圧である。７ｂは、図１のＡＣＬ電圧制御回路７ａに代えて設けられるＡＢＬ電圧制御回路であり、その詳細については後述する。その他の構成については図１の回路と同じであるので、図１と同一部分には同一符号を付して重複説明は省略する。
【００１６】
図３は、図１のＡＣＬ電圧制御回路７ａの具体的構成を示した回路図である。図２のＡＢＬ電圧制御回路７ｂもこれと同じ回路で構成される。図３において、１１はＩＦＡＧＣ電圧Ｖｉが与えられる中間周波増幅回路３のＩＦＡＧＣ端子であって、この端子１１にはＩＦＡＧＣ電圧Ｖｉを平滑するためのコンデンサＣ１が接続されているとともに、トランジスタＴＲ１（第１のトランジスタ）のベースが接続されている。ＺはトランジスタＴＲ１のエミッタに直列に接続されたツェナーダイオード、Ｒ１およびＲ２はツェナーダイオードＺと直列に接続された抵抗、Ｃ２は抵抗Ｒ２と並列に接続されたコンデンサである。抵抗Ｒ１、Ｒ２の接続点ｂにはトランジスタＴＲ２（第２のトランジスタ）のベースが接続されており、トランジスタＴＲ２のコレクタは抵抗Ｒ３を介して信号処理回路４のＡＣＬ端子（またはＡＢＬ端子）１２に接続されている。ＡＣＬ端子１２にはＡＣＬ電圧Ｖｃ（またはＡＢＬ電圧Ｖｂ）が与えられる。また、このＡＣＬ端子１２は抵抗Ｒ４を介して＋５Ｖにプルアップされている。なお、抵抗Ｒ３は省略してもよい。
【００１７】
次に、図３の回路の動作について説明する。アンテナ１（図１）で受信される電界の強度が大きい場合は、図５のようにＩＦＡＧＣ電圧Ｖｉのレベルが低いため、ａ点の電位も低く、トランジスタＴＲ１およびツェナーダイオードＺは導通しない。したがって、ＡＣＬ電圧制御回路７ａ（またはＡＢＬ電圧制御回路７ｂ）は動作しないが、電界強度が大きい場合はビートの影響を受けないので問題はない。一方、電界強度が一定以下に低下すると、図５のようにＩＦＡＧＣ電圧Ｖｉのレベルが上昇して、ａ点の電位も上昇する。そして、ＩＦＡＧＣ電圧ＶｉがツェナーダイオードＺの降伏電圧により定まる所定値を超えると、トランジスタＴＲ１とツェナーダイオードＺが導通する。
【００１８】
トランジスタＴＲ１およびツェナーダイオードＺが導通すると、トランジスタＴＲ２のベースに電流が流れて、トランジスタＴＲ２が動作する。トランジスタＴＲ２が動作すると、ｃ点の電位が下がり、これに応じてＡＣＬ端子（またはＡＢＬ端子）１２に与えられるＡＣＬ電圧Ｖｃ（またはＡＢＬ電圧Ｖｂ）が減少する。信号処理回路４は、ＡＣＬ端子（またはＡＢＬ端子）１２に与えられる電圧が大きくなると、コントラスト（または明るさ）が増加するようにＣＲＴ５を駆動し、ＡＣＬ端子（またはＡＢＬ端子）１２に与えられる電圧が小さくなると、コントラスト（または明るさ）が減少するようにＣＲＴ５を駆動するので、上記のようにトランジスタＴＲ２が動作することで電圧Ｖｃ、Ｖｂが減少すると、ＣＲＴ５の画面のコントラストや明るさが低下する。これによって、画面上のビートを目立たなくすることができる。
【００１９】
この場合、コントラストや明るさを極端に落すと、ＣＲＴ５の画面が暗くなりすぎて映像が見づらくなるので、抵抗Ｒ３および抵抗Ｒ４の値を適当に選ぶことにより、コントラストや明るさを１／２程度まで落すのが好ましい。例えば、コントラストを１／２に落すと、画面上のグレーであった部分は黒色となるため、グレー部分で目立っていたビートはほとんど見えなくなる。
【００２０】
以上のようにして、上記実施形態においては、電界強度が一定値以下になった場合に、ＩＦＡＧＣ電圧Ｖｉが所定値を超えたことをＡＣＬ電圧制御回路７ａ（またはＡＢＬ電圧制御回路７ｂ）で検出し、ＡＣＬ電圧Ｖｃ（またはＡＢＬ電圧Ｖｂ）をコントラスト（または明るさ）が減少する側へ制御することで、弱電界時には画面のコントラストや明るさが自動的に減少するため、ＣＲＴ５の画面においてＩＦビートや電源ビートなどが見えにくくなり、画質の低下を防止することができる。また、ＩＦＡＧＣ電圧ＶｉによりＡＣＬ電圧ＶｃやＡＢＬ電圧Ｖｂを制御するので、ユーザの設定に影響されずに、コントラストや明るさをビートが見えなくなるまで自動的に低減させることができる。さらに、ノイズそのものを抑圧する方式ではないので、特別なノイズ抑圧回路を設ける必要がなく、トランジスタ、ツェナーダイオード、抵抗などからなる簡単な回路で実現することが可能となる。また、電源リップル補正回路なども不要となる。
【００２１】
図４は、ＡＣＬ電圧制御回路７ａ（またはＡＢＬ電圧制御回路７ｂ）の他の実施形態を示している。ここでは、図３の抵抗Ｒ２に代えて、ダイオードＤが用いられている。その他の構成については図３と全く同じであるので、図３と同一部分には同一符号を付して重複説明は省略する。ダイオードＤは、両端に加わる電圧に対して抵抗値がアナログ的に変化する特性を有しているので、トランジスタＴＲ２をアナログ的に駆動することができる。トランジスタＴＲ２の動作によりＡＣＬ端子（またはＡＢＬ端子）１２のＡＣＬ電圧Ｖｃ（またはＡＢＬ電圧Ｖｂ）が急峻に変化すると、コントラストや明るさの変化が唐突となって違和感を与えるが、ダイオードＤを用いることによって、トランジスタＴＲ２をアナログ的に駆動することができるので、画面の急激な変化を緩和することができる。
【００２２】
【発明の効果】
本発明によれば、ＩＦＡＧＣ電圧に基づいてＡＣＬ電圧またはＡＢＬ電圧を制御する電圧制御回路を設け、電界強度が低下したときにコントラストや明るさが減少するようにしたので、簡単な手段によって弱電界時に画面上のビートを目立たなくすることが可能となり、安価に実現できる効果がある。
【図面の簡単な説明】
【図１】本発明の実施形態に係るテレビジョン受像機のブロック図である。
【図２】他の実施形態に係るテレビジョン受像機のブロック図である。
【図３】電圧制御回路の具体的構成を示した回路図である。
【図４】電圧制御回路の他の実施形態を示した回路図である。
【図５】ＩＦＡＧＣ電圧の特性を示したグラフである。
【符号の説明】
１    アンテナ
２    チューナ
３    中間周波増幅回路
４    信号処理回路
５    ＣＲＴ
６    ビーム制御回路
７ａ  ＡＣＬ電圧制御回路
７ｂ  ＡＢＬ電圧制御回路
１１  ＩＦＡＧＣ端子
１２  ＡＣＬ端子（ＡＢＬ端子）
１００  テレビジョン受像機
ＴＲ１、ＴＲ２  トランジスタ
Ｒ１〜Ｒ４  抵抗
Ｄ    ダイオード
Ｚ    ツェナーダイオード
Ｖｉ  ＩＦＡＧＣ電圧
Ｖｃ  ＡＣＬ電圧
Ｖｂ  ＡＢＬ電圧
【図１】
2004328228.tif 000003
【図２】
2004328228.tif 000004
【図３】
2004328228.tif 000005
【図４】
2004328228.tif 000006
【図５】
2004328228.tif 000007